(57)【要約】【課題】本発明の目的は、インクジェット記録方式の画像形成部を有し、且つ画像読取装置を配置しても、小型な画像形成装置を提供することである。【解決手段】記録材にインクを吐出して画像を形成する画像形成部と、記録材を排出する記録材排出部と、前記画像形成部を経由して記録材を前記記録材排出部へ導く搬送路と、画像形成装置の装置本体に対して移動可能で、少なくとも前記搬送路の一部を露出するための開閉部材と、原稿の画像を読み取る画像読取部と、原稿を排出する原稿排出部と、を備えた画像形成装置であって、前記画像読取部の少なくとも一部は、(i)前記原稿排出部よりも下方、（ii）前記画像形成部よりも上方、(iii)前記記録材排出部を含む垂直面よりも前記開閉部材側、(iv)前記開閉部材のヒンジ部を含む垂直面より前記記録材排出部側、とで構成される領域に設けられている。【選択図】    図２
2018174519.tif 000002
【特許請求の範囲】
【請求項１】
記録材にインクを吐出して画像を形成する画像形成部と、
記録材を排出する記録材排出部と、
前記画像形成部を経由して記録材を前記記録材排出部へ導く搬送路と、
画像形成装置の装置本体に対して移動可能で、少なくとも前記搬送路の一部を露出するための開閉部材と、
原稿の画像を読み取る画像読取部と、
原稿を排出する原稿排出部と、を備えた画像形成装置であって、
前記画像読取部の少なくとも一部は、(i)前記原稿排出部よりも下方、(ii)前記画像形成部よりも上方、(iii)前記記録材排出部を含む垂直面よりも前記開閉部材側、(iv)前記開閉部材のヒンジ部を含む垂直面より前記記録材排出部側、とで構成される領域に設けられていることを特徴とする画像形成装置。
【請求項２】
記録材にインクを吐出して画像を形成する画像形成部と、
記録材を排出する記録材排出部と、
前記画像形成部を経由して記録材を前記記録材排出部へ導く搬送路と、
原稿の画像を読み取る画像読取部と、
原稿を排出する原稿排出部と、を備えた画像形成装置であって、
前記画像読取部の少なくとも一部は、前記画像読取部の長手方向に見た場合に、前記原稿排出部よりも下方かつ前記画像形成部よりも上方に対応する領域かつ前記画像読取部の短手方向における前記画像形成部の幅に対応する領域に設けられていることを特徴とする画像形成装置。
【請求項３】
前記画像読取部を通過したシートの後端が先端に変わって搬送されるようにシートを反転させる反転部と、反転されたシートを前記画像読取部へ再び搬送する両面搬送路と、を有することを特徴とする請求項１又は２に記載の画像形成装置。
【請求項４】
前記搬送路の一部が、前記両面搬送路を兼ねることを特徴とする請求項３に記載の画像形成装置。
【請求項５】
原稿を給送する原稿給送部を有し、
前記原稿給送部は、水平方向で前記画像読取部を挟んで前記原稿排出部に対向して配置されることを特徴とする請求項１乃至４のいずれか一項に記載の画像形成装置。
【請求項６】
原稿を給送する原稿給送部と、
前記原稿給送部で給送された原稿を前記画像読取部を経由して前記原稿排出部へ導く原稿搬送路と、を有し、
前記原稿搬送路から前記両面搬送路にシートを導く第１分岐路を有することを特徴とする請求項３に記載の画像形成装置。
【請求項７】
前記搬送路から前記原稿搬送路にシートを導く第２分岐路を有することを特徴とする請求項６に記載の画像形成装置。
【請求項８】
前記記録材排出部は、前記原稿排出部を兼ねることを特徴とする請求項１乃至７のいずれか一項に記載の画像形成装置。
【請求項９】
前記画像読取部は、少なくとも前記搬送路、前記原稿搬送路、前記両面搬送路、前記第１分岐路、前記第２分岐路のいずれかに配置されることを特徴とする請求項７に記載の画像形成装置。
【発明の詳細な説明】
【技術分野】
【０００１】
本発明は、インクジェット記録方式を用いて記録材に画像を形成する画像形成装置に関し、特に原稿の画像を読み取る機能も兼ね備えた画像形成装置に関する。
【背景技術】
【０００２】
記録紙への画像形成を行う装置として、インクジェット記録方式の画像形成部を備えた画像形成装置がある。一般的に生産性が低い場合はシリアルヘッド型の記録ヘッドを備え、画像形成部に記録紙の画像書き出し位置が来ると記録紙の搬送を停止し、記録ヘッドが記録紙の搬送方向に対して直交する幅方向に移動して画像を形成する。その後、記録ヘッド幅の分だけ記録紙を搬送して、再度記録ヘッドを幅方向に移動させて画像を形成する。この動作を繰り返すことで、記録紙全体に画像を形成する。
【０００３】
これに対して、生産性の向上という観点から特許文献１に開示されているようなラインヘッド型の記録ヘッドを備えた画像形成装置が知られている。ラインヘッド型の画像形成部では、記録ヘッドが搬送されてくる記録紙の幅方向全域に配置されており、記録紙を搬送し続けたまま画像を形成することができる。その結果、ラインヘッド型の画像形成装置は、シリアルヘッド型に比べて生産性が向上する。また、生産性が向上することで大量印刷に好適となるため、画像形成装置は給紙トレイ部の高さと排紙トレイ部の高さを高くすることで、給紙容量及び排紙容量を増やしている。
【０００４】
これらのインクジェット記録方式の画像形成部を備えた画像形成装置において、近年、特許文献２に開示されるように、原稿のコピーやスキャン機能などを備えたマルチファンクションプリンタ（ＭＦＰ）の需要が高まっている。画像形成装置本体の上部に原稿台とオートドキュメントフィーダ（ＡＤＦ）を備え、画像読取手段によって原稿台での読み取りとＡＤＦでの原稿流し読みが可能な画像読取装置を備えている。
【先行技術文献】
【特許文献】
【０００５】
【特許文献１】ＵＳ２０１４／０２０３４９９
【特許文献２】ＵＳ８８５７９５９Ｂ２
【発明の概要】
【発明が解決しようとする課題】
【０００６】
しかしながら、特許文献１の構成では、給紙容量と排紙容量が少ないため、大量印刷ジョブを処理する場合、記録紙の補充回数と積載された記録紙の取り除く回数が増え、生産性を向上しても大量印刷に向かない。
【０００７】
一方、特許文献２の構成では、画像読取装置が画像形成装置の上部に配置されるため、画像形成装置と画像読取装置を合わせた装置高さが、画像読取装置を有さないシングルファンクションプリンタ（ＳＦＰ）に比べて高くなり、装置が大型化してしまう。
【０００８】
そこで、本発明の目的は、インクジェット記録方式の画像形成部を有し、且つ画像読取装置を配置しても、小型な画像形成装置を提供することである。
【課題を解決するための手段】
【０００９】
上記目的を達成するため、本発明は、記録材にインクを吐出して画像を形成する画像形成部と、記録材を排出する記録材排出部と、前記画像形成部を経由して記録材を前記記録材排出部へ導く搬送路と、画像形成装置の装置本体に対して移動可能で、少なくとも前記搬送路の一部を露出するための開閉部材と、原稿の画像を読み取る画像読取部と、原稿を排出する原稿排出部と、を備えた画像形成装置であって、前記画像読取部の少なくとも一部は、(i)前記原稿排出部よりも下方、（ii）前記画像形成部よりも上方、(iii)前記記録材排出部を含む垂直面よりも前記開閉部材側、(iv)前記開閉部材のヒンジ部を含む垂直面より前記記録材排出部側、とで構成される領域に設けられていることを特徴とする。
【発明の効果】
【００１０】
本発明によれば、インクジェット記録方式の画像形成部を備え、画像読取部を画像形成装置の本体内部に配置しても、小型な画像形成装置を提供することができる。
【図面の簡単な説明】
【００１１】
【図１】実施例１における画像形成装置の主断面図
【図２】実施例１における搬送路と画像読取ユニット付近の断面拡大図
【図３】実施例１における画像読取部の断面拡大図
【図４】実施例１における画像読取部の斜視図
【図５】実施例２における画像形成装置の主断面図
【図６】実施例２における搬送路と画像読取ユニット付近の断面拡大図
【図７】実施例３における画像形成装置の主断面図
【図８】実施例３における搬送路と画像読取ユニット付近の断面拡大図
【図９】実施例１における搬送路と画像読取ユニット付近の断面拡大図
【発明を実施するための形態】
【００１２】
以下、図面を参照して、本発明の好適な実施の形態を例示的に詳しく説明する。ただし、以下の実施例に記載されている構成部品の寸法、材質、形状、それらの相対配置などは、本発明が適用される装置の構成や各種条件により適宜変更されるべきものであり、本発明の範囲をそれらのみに限定する趣旨のものではない。
【００１３】
〔実施例１〕
図１を用いて、実施例１に係る画像形成装置１ついて説明する。なお、本実施例では、インクジェット記録方式を用いた画像形成装置として、インクタンクを複数備えたフルカラーインクジェットプリンタを例示しているが、これに限定されるものではない。インクタンクを一つ備えたモノクロインクジェットプリンタにも適用することができる。したがって、本発明は、フルカラーインクジェットプリンタに限定されるものではない。図１は、画像形成装置１の全体構成を示す主断面図である。
【００１４】
画像形成装置１の下部には、記録対象のシートとしての記録材（例えば、紙や布）を収容するカセット２が引き出し可能に収納されている。カセット２の端部付近には、記録材を給送する給送手段としてのカセット給送部３が配設される。本実施例では、一対のローラがカセット給送部３を構成している。そして、画像形成装置１の右側には、記録対象のシートとしての記録材を給送する給送手段としての手差し給送部４が配設されている。本実施例では、半円状のローラが手差し給送部４を構成している。カセット給送部３と手差し給送部４は、夫々、記録材を１枚毎に分離し、レジストローラ５に給送するようになっている。記録材の搬送方向においてレジストローラ５の下流には、記録材の通過を検知する搬送センサ６ａが配置されている。搬送センサ６ａが記録材に押し上げられて図中の点線で示す位置に位置することで、記録材が正しく搬送されていることを検知する。
【００１５】
画像形成装置１は画像形成部９を有する。画像形成部９は、記録対象のシートとしての記録材に画像を形成する画像形成手段である。画像形成部９は、記録対象のシートとしての記録材にインクを吐出して画像を形成するインクジェット記録方式の記録ヘッド９ａを有する。記録ヘッド９ａは、記録材の搬送方向に対して直交する幅方向全域に配置されたラインヘッド型の記録ヘッドである。ラインヘッド型の記録ヘッドは、記録材を搬送し続けたまま画像を形成することができ、その結果、記録材の幅方向に移動しつつ記録を行うシリアルヘッド型に比べて生産性が向上する。記録ヘッド９ａは、チューブ８を通して、イエロー、マゼンタ、シアン、ブラックの各色毎に対応するインクタンク７Ｙ，７Ｍ，７Ｃ，７Ｋからインクが供給される。
【００１６】
画像形成部９を通過した記録材は、実線で示す位置にある切替部材１０ａに案内され、搬送路１１により画像形成装置１の上方へ導かれる。搬送路１１は、カセット給送部３によりカセット２から給送された記録材、または手差し給送部４により給送された記録材を、画像形成部９を経由して排出ローラ対１３へ導く搬送路である。
【００１７】
画像形成装置１の右側には、画像形成装置１の装置本体に対して移動可能で、搬送路１１を露出可能にする開閉部材１２が配置されている。開閉部材１２は、画像形成装置１に開閉可能に支持されるヒンジ部１２ａを有し、ヒンジ部１２ａを中心に回転する。図２は搬送路と画像読取ユニット付近の断面拡大図である。図２に示すように、開閉部材１２は、実線で示す閉じた状態では開閉部材１２の内側の面が搬送路１１を兼ねている。搬送路１１を露出する際は、開閉部材１２は点線で示す位置に開く。
【００１８】
記録材の片面のみに画像を形成する場合は、記録材が画像形成部９を通過後に最短経路を通るように傾斜した搬送路１１を通過して搬送センサ６ｃが記録材を検知すると、排出ローラ対１３により記録材積載部１４へ排出される。排出ローラ対１３は、画像形成部９にて画像を形成された記録材を排出する記録材排出部である。記録材の両面に画像を形成する場合は、まず一方の面に画像が形成された記録材に搬送センサ６ｂが押し上げられて図中の点線で示す位置に位置することで、記録材の後端が切替部材１０ａを通過したことを検知する。すると、切替部材１０ａが実線で示す位置から点線に示す位置に切り替えられるとともに、切替部材１０ａを通過した記録材は、その後端が先端に変わって搬送されるようにスイッチバックローラ対（反転部）２２により反転搬送される。一方の面に画像を形成された記録材は、前記切替部材１０ａにより画像形成装置１の下方に向けて案内され、レジストローラ５、画像形成部９へ再び導かれる。その後、画像形成部９にて他方の面にも画像を形成された記録材は排出ローラ対１３へ導かれ、記録材積載部１４へ排出される。
【００１９】
なお、画像形成装置１には印刷動作時に動作しない部品として、カセット２の上部にヘッドクリーナー１５が配置される。記録ヘッド９ａが目詰まりを起こした際、画像形成部９が矢印Ａ方向に移動し、ヘッドクリーナー１５が矢印Ｂ方向へ移動する。ヘッドクリーナー１５が記録ヘッド９ａの下部に入り込むと、ヘッドクリーナー１５によって記録ヘッド９ａが清掃され目詰まりを解消する。
【００２０】
次に画像読取ユニット、及び読取動作について説明する。図２に示すように、画像読取ユニット１００は、画像形成装置１内の画像形成部９の上部に配設される。画像読取ユニット１００は、読取対象のシートとしての原稿の画像を読み取る画像読取部１０１を有する。画像読取部１０１の右側（原稿の搬送方向上流側）には、原稿を給送する原稿給送部１０２と原稿レジストローラ１０３が配設される。本実施例の原稿給送部は、一対のローラから構成されている。画像読取部１０１の左側（原稿の搬送方向下流側）には、原稿を排出する原稿排出ローラ対（原稿排出部）１０４と原稿積載部１０５が配設される。そして、原稿給送部１０２により給送された原稿を画像読取部１０１を経由して原稿排出ローラ対１０４へ導く原稿搬送路１０６が形成される。
【００２１】
図３は画像読取部１０１の断面図である。図３に示すように、画像読取部１０１は、ガラスなどの透過性材質から成る読取面部材１０７と、ホルダ１０８、ハウジング１０９、原稿の幅方向に配列されたＬＥＤアレイ１１０と、ロッドレンズ１１２、受光素子１１１で構成されている。画像読取部１０１は、画像形成装置１に固定されている。また、読取面部材１０７は、図４に示すように、原稿の搬送方向に対して直交する幅方向の幅（長さ）Ｗが、搬送可能な用紙幅Ｗｓよりも長く構成される（Ｗｓ＜Ｗ）。
【００２２】
原稿給送部１０２は原稿を積載収容して１枚毎に分離して、原稿レジストローラ１０３に給送する。原稿レジストローラ１０３に搬送された原稿は、画像読取部１０１へ搬送される。画像読取部１０１は、原稿が通過する際に原稿の画像を読み取る。原稿が読取面部材１０７に接すると、ＬＥＤアレイ１１０から照射された光が読取面部材１０７の照射面側から透過して原稿面を照射し、その反射光をロッドレンズ１１２で集光し、更に受光素子１１１に入力する。受光素子１１１は、入力された光を電圧に変換することで、原稿面の情報を電気信号に変換して画像データとすることで原稿の画像を読み取る。画像を読み取られた原稿は、原稿排出ローラ対１０４側へ搬送され、原稿排出ローラ対１０４により原稿積載部１０５に排出される。そして、画像読取部１０１で読み取った画像データは電子データとしてネットワーク上のコンピュータに保管されるか、または不図示の制御部にて印刷データに変換されて、カセット２から給送される新たな記録材へ複写される。
【００２３】
なお、原稿給送部１０２は、水平方向で画像読取部１０１を挟んで原稿排出部である原稿排出ローラ対１０４に対向して配置される。
【００２４】
次に画像形成装置１における画像読取部１０１の配置について詳細に説明する。上述したように搬送路１１は、装置下部のカセット給送部３から画像形成部９の記録ヘッド９ａを経由し、画像形成部９を回り込むように装置側面を経由する。そして、搬送路１１は、装置上部の記録材排出部である排出ローラ対１３へ向けて、記録材を案内する。そのため、図２に示すように、次の境界で作られる領域がある。１つ目の境界は、画像形成部９の上部で、高さ方向が画像形成部９で規定される水平面（Ｃ）よりも上方になる。２つ目の境界は、原稿排出部である原稿排出ローラ対１０４で規定される水平面（Ｄ）よりも下方になる。３つ目の境界は、記録材排出部である排出ローラ対１３を含む垂直面（Ｅ）よりも右側になる。さらに、４つ目の境界は、ヒンジ部１２ａを含む垂直面（Ｆ）よりも左側の領域になる。この４つの境界で作られる領域は、シングルファンクションプリンタの場合に、記録材の搬送路以外の特定の機能を持たない領域である場合が多い。そこで、本実施例では、画像読取部１０１の少なくとも一部を前記領域に設けている。すなわち、画像読取部１０１の少なくとも一部は、原稿排出部である原稿排出ローラ対１０４の上部を含む水平面（Ｄ）よりも下方、画像形成部９の上部を含む水平面（Ｃ）よりも上方で構成される領域内にある。かつ、画像読取部１０１の少なくとも一部は、記録材排出部である排出ローラ対１３を含む垂直面（Ｅ）よりも開閉部材側（右側）で構成される領域にある。かつ、画像読取部１０１の少なくとも一部は、開閉部材１２の移動支点である回転中心（ヒンジ部１２ａ）を含む垂直面（Ｆ）よりも記録材排出部側（左側）で構成される領域にある。
【００２５】
また、図９に示すように違う観点で見ると次のような領域（領域Ｇ）に画像読取部１０１の少なくとも一部が配置されていればよい。この領域Ｇは、画像読取部の長手方向に見た場合（図に示す面において）、原稿排出部よりも下方かつ画像形成部よりも上方に対応する領域かつ画像読取部の短手方向における画像形成部の幅に対応する領域である。
【００２６】
以上説明したように、上述した領域に画像読取部１０１を効率良く配置することで、画像読取ユニット１００を画像形成装置１内に設けても、小型な画像形成装置１を提供することができる。また、画像形成部９に対して上部に読取機能を集約できるので、機能分離ができてユーザビリティが良い。
【００２７】
なお、本実施例では記録材の搬送方向と直交する方向に配置されるヒンジ部１２ａを回転中心に開閉部材１２が開閉するが、高さ方向に回転軸を有するヒンジ部１２ａを回転中心に開閉部材１２が開閉してもよい。
【００２８】
〔実施例２〕
次に図５及び図６を用いて実施例２に係る画像形成装置について説明する。なお、本実施例に係る画像形成装置において、実施例１と重複する部分は説明を省略する。図５は本実施例の画像形成装置１の主断面図で、図６は搬送路と画像読取ユニット付近の断面拡大図である。
【００２９】
本実施例に係る画像形成装置では、搬送路１１の右側に、切替部材１０ｂと、反転されたシートを再び画像形成部へ搬送する両面搬送路１７が配置されている。また、原稿搬送路１０６の画像読取部の上流側に、切替部材１０ｄと、原稿搬送路１０６からシートを両面搬送路１７へ導く第１分岐路１９が配置されている。
【００３０】
記録材の片面のみに画像を形成する場合は、画像形成部９を通過した記録材は、実線で示す位置にある切替部材１０ａに案内され、搬送路１１により画像形成装置の上方へ導かれ、排出ローラ対１３により記録材積載部１４へ排出される。記録材の両面に画像を形成する場合は、まず記録材に搬送センサ６ａが押し上げられて図中の点線で示す位置に位置することで、切替部材１０ａが点線で示す位置に、切替部材１０ｂが実線で示す位置に切り替えられる。これにより、画像形成部９にて一方の面に画像を形成された記録材は、切替部材１０ａ，１０ｂに案内され、両面搬送路１７へ導かれる。そして、一方の面に画像が形成された記録材に搬送センサ６ｂが押し上げられて図中の点線で示す位置に位置することで、記録材の後端が切替部材１０ｂを通過したことを検知する。すると、切替部材１０ｂが実線で示す位置から点線に示す位置に切り替えられるとともに、切替部材１０ｂを通過した記録材は、その後端が先端に変わって搬送されるようにスイッチバックローラ対（反転部）２２により反転搬送される。一方の面に画像を形成された記録材は、前記切替部材１０ｂにより画像形成装置１の下方に向けて案内され、レジストローラ５、画像形成部９へ再び導かれる。このように搬送路１１の一部が、反転された記録材を画像形成部９へ再び搬送する両面搬送路を兼ねている。その後、画像形成部９にて他方の面にも画像を形成された記録材は排出ローラ対１３へ導かれ、記録材積載部１４へ排出される。
【００３１】
次に画像読取ユニット１００の構成、及び動作について説明する。画像読取ユニット１００は、画像形成装置１内の画像形成部９の上部に配置される。画像読取ユニット１００は、原稿の画像を読み取る画像読取部１０１を、原稿搬送路１０６の両面に配置している。すなわち画像読取ユニット１００は、原稿の一方の面の画像を読み取る上側の画像読取部１０１ａと、原稿の他方の面の画像を読み取る下側の画像読取部１０１ｂと、を有する。画像読取部１０１ａ，１０１ｂの右側（原稿の搬送方向上流側）には、原稿を給送する原稿給送部１０２と、原稿レジストローラ１０３が配置される。画像読取部１０１ａ，１０１ｂの左側（原稿の搬送方向下流側）には、原稿を排出する原稿排出ローラ対（原稿排出部）１０４と原稿積載部１０５が配置される。そして、原稿給送部１０２により給送された原稿を画像読取部１０１ａ，１０１ｂを経由して原稿排出ローラ対１０４へ導く原稿搬送路１０６が形成される。さらに画像読取部１０１ａ，１０１ｂの右側には、原稿搬送路１０６から両面搬送路１７へ原稿を導く第１分岐路１９が配置される。
【００３２】
本実施例に係る画像形成装置では、原稿に画像を追加、上書きすることが可能である。この場合、まず原稿給送部１０２から給送された原稿は、切替部材１０ｃが実線で示す位置に位置することで、原稿レジストローラ１０３側へ案内され、画像読取部１０１ａ，１０１ｂを経由して、原稿排出ローラ対１０４側へ搬送される。原稿の後端が通過したことを搬送センサ６ｅが検知すると、読取対象のシートとしての原稿は、その後端が先端に変わって搬送されるように原稿排出ローラ対（反転部）１０４により反転搬送され、再び画像読取部側に搬送される。原稿が画像読取部を通過する際、原稿の上面側の画像読取部１０１ａが原稿に記載された画像を読み取る。画像を読み取られた原稿は、切替部材１０ｃが点線で示す位置に位置することで原稿搬送路１０６から第１分岐路１９へ導かれる。そして、第１分岐路１９から両面搬送路１７に案内された原稿は、切替部材１０ｂが点線で示す位置に位置することで、画像形成装置１の下方に向けて案内される。その後、記録対象のシートとしての原稿は、画像形成部９を通過する際、画像読取部１０１ａで読み取った画像情報をもとに、原稿の画像に追加、上書きされて画像形成が行われる。画像形成部９を通過した原稿は、切替部材１０ａが実線で示す位置に位置することで、排出ローラ対１３へ導かれ、記録材積載部１４へ排出される。
【００３３】
なお、本実施例に係る画像形成装置１の右側には、両面搬送路１７を露出可能にする開閉部材１２が配置されている。開閉部材１２は、画像形成装置１の装置本体に開閉可能に支持されるヒンジ部１２ａを有し、ヒンジ部１２ａを中心に回転する。図６に示すように、開閉部材１２は、実線で示す閉じた状態では開閉部材１２の内側の面が両面搬送路１７を兼ねている。両面搬送路１７を露出する際は、図示していないが、実施例１における開閉部材１２と同様（図２の点線で示す位置）に開く。開閉部材を開くと両面搬送路１７の一部である内側が露出する構成である。
【００３４】
次に画像形成装置１における画像読取部１０１ａ，１０１ｂの配置について説明する。本実施例では、画像読取部１０１ａ，１０１ｂは、少なくとも一部が以下の領域に設けられている。すなわち、画像読取部１０１ａ，１０１ｂの少なくとも一部が、高さ方向が画像形成部９で規定される水平面（Ｃ）よりも上方、かつ、原稿排出ローラ対１０４で規定される水平面（Ｄ）よりも下方で構成される領域に設けられている。かつ、画像読取部１０１ａ，１０１ｂの少なくとも一部が、水平方向において排出ローラ対１３で規定される垂直面（Ｅ）よりも開閉部材側（右側）で構成される領域に設けられている。かつ、画像読取部１０１ａ，１０１ｂの少なくとも一部が、開封部材のヒンジ部１２ａで規定される垂直面（Ｆ）よりも排出ローラ対１３側（左側）で構成される領域に設けられている。
【００３５】
また、実施例１と同様の領域（図９に示す領域Ｇ）に画像読取部１０１の少なくとも一部が配置されていると考えてもよい。この領域Ｇは、画像読取部の長手方向に見た場合、原稿排出部よりも下方かつ画像形成部よりも上方に対応する領域かつ画像読取部の短手方向における画像形成部の幅に対応する領域である。
【００３６】
以上説明したような画像形成装置であれば、原稿に画像を追加、上書きすることが可能となる。また、両面搬送路１７を設けることで、両面印刷時の生産性も向上する。また、本実施例の画像形成装置であれば、原稿を両面同時に読み込むことが可能となる。
【００３７】
また、本実施例のように、原稿の両面を読み取るために二つの画像読取部を設ける場合、二つのうちの少なくとも一方の画像読取部の少なくとも一部が、上述した領域内に入っていれば、装置の大型化を抑えることができる。
【００３８】
〔実施例３〕
次に図７及び図８を用いて実施例３に係る画像形成装置について説明する。なお、本実施例に係る画像形成装置において、実施例１及び実施例２と重複する部分は説明を省略する。図７は本実施例の画像形成装置１の主断面図で、図８は搬送路と画像読取ユニット付近の断面拡大図である。
【００３９】
本実施例に係る画像形成装置では、搬送路１１の排出ローラ対１３の上流側に、切替部材１０ｄと、搬送路１１からシートを原稿搬送路１０６へ導く第２分岐路２１と、切替部材１０ｅが配置されている。
【００４０】
本実施例では、画像形成した記録材の画像を読み取り、画像補正を行うことが可能である。この場合、記録対象のシートとしての記録材に対して、画像形成部９にて画像形成を行い、画像が形成された記録材を読取対象のシートとして画像読取ユニットへ送る。まず画像形成部９で画像を形成された記録材は、切替部材１０ａが実線で示す位置に位置することで、排出ローラ対１３側へ搬送される。そして、切替部材１０ｄが実線で示す位置に位置することで、記録材を搬送路１１から第２分岐路２１へ案内し、切替部材１０ｅが実線で示す位置に位置することで、記録材を第２分岐路２１から原稿搬送路１０６へ案内する。読取対象のシートとしての記録材（原稿）の後端が通過したことを搬送センサ６ｅが検知する。すると、前記記録材は、その後端が先端に変わって搬送されるように原稿排出ローラ対（反転部）１０４により反転搬送され、点線で示す位置に切り替えられた切替部材１０ｅにより画像読取部１０１へ案内される。そして、画像読取部１０１は、画像形成部９で形成された前記記録材の画像情報を読み取り、印刷ジョブの画像情報との色や輪郭の差異を制御部（不図示）で算出し、以降の印刷動作へ補正する。画像読取部を通過した記録材は、切替部材１０ｃが点線で示す位置に位置することで、第１分岐路１９から両面搬送路１７へ導かれる。その後、前記記録材は、レジストローラ５、画像形成部９を通過し、実線で示す位置に位置する切替部材１０ａ、点線で示す位置に位置する切替部材１０ｄにより搬送路１１を案内され、排出ローラ対１３により記録材積載部１４へ排出される。
【００４１】
なお、本実施例に係る画像形成装置における画像読取部の配置は、実施例２と同様であるため、ここでは説明を省略する。
【００４２】
以上説明したように、画像形成した記録材の画像を読み取り、画像補正を行うことで、印刷情報に対して再現性の高い画像を印刷することが可能となる。
【００４３】
また、実施例２と同様に、原稿の両面を読み取るために二つの画像読取部を設ける場合、二つのうちの少なくとも一方の画像読取部の少なくとも一部が、上述した領域内に設けられており、これにより装置の大型化を抑えることができる。
【００４４】
〔他の実施例〕
前述した実施例では、画像読取部を原稿搬送路に配置した構成を例示したが、本発明はこれに限定されるものではない。画像読取部は、少なくとも前記搬送路、前記原稿搬送路、前記両面搬送路、前記第１分岐路、前記第２分岐路のいずれか１箇所に配置されていれば良い。このような構成においても、前記画像読取部の少なくとも一部が、上述した４つの境界で作られる領域内に入っていれば、前述した実施例と同様の効果が得られる。ここで、前記領域をなす前記境界の１つは、高さ方向が画像形成部を含む水平面（Ｃ）よりも上方である。また前記境界の１つは、原稿排出ローラ対を含む水平面（Ｄ）よりも下方である。また前記境界の１つは、水平方向が排出ローラ対を含む垂直面（Ｅ）よりも開閉部材側（右側）である。また前記境界の１つは、開閉部材の回転中心（ヒンジ部１２ａ）を含む垂直面（Ｆ）よりも排出ローラ対側（左側）である。
【符号の説明】
【００４５】
１ …画像形成装置
２ …カセット
３ …カセット給送部
４ …手差し給送部
５ …レジストローラ
６ａ，６ｂ，６ｃ，６ｄ，６ｅ …搬送センサ
７Ｙ，７Ｍ，７Ｃ，７Ｋ …インクタンク
８ …チューブ
９ …画像形成部
９ａ …記録ヘッド
１０ａ，１０ｂ，１０ｃ，１０ｄ，１０ｅ …切替部材
１１ …搬送路
１２ …開閉部材
１２ａ …ヒンジ部
１３ …排出ローラ対
１４ …記録材積載部
１５ …ヘッドクリーナー
１７ …両面搬送路
１９ …第１分岐路
２１ …第２分岐路
２２ …スイッチバックローラ対
１００ …画像読取ユニット
１０１，１０１ａ，１０１ｂ …画像読取部
１０２ …原稿給送部
１０３ …原稿レジストローラ
１０４ …原稿排出ローラ対
１０５ …原稿積載部
１０６ …原稿搬送路
【図１】
2018174519.tif 000003
【図２】
2018174519.tif 000004
【図３】
2018174519.tif 000005
【図４】
2018174519.tif 000006
【図５】
2018174519.tif 000007
【図６】
2018174519.tif 000008
【図７】
2018174519.tif 000009
【図８】
2018174519.tif 000010
【図９】
2018174519.tif 000011